(57)【要約】【課題】操作ボタンを押下するのに適した中央押しを促進するため、該操作ボタンの操作面中央部の認識を高めることができる特有の発光構造を持たせた操作スイッチ及び遊技スイッチを提供する。【解決手段】押圧操作される操作子１９の進退動作に基づいて操作信号を出力するとともに、前記操作子１９の操作面１５ａの背面側に配置された発光体２５からの光で前記操作面１５ａを照光する操作スイッチにおいて、前記操作子１９は、透光性部材からなる有底筒体に形成され、該有底筒体の底部外面を操作面１５ａとする操作子１９と、該操作子１９を保持する操作枠体１８とからなり、前記操作子１９は、前記発光体２５から照射された光が前記操作面１５ａに向かうように、有底筒体の内周壁面１５ｂを開口端側に広げて形成する。【選択図】図４
2008264047.tif 000002
【特許請求の範囲】
【請求項１】
押圧操作される操作子の進退動作に基づいて操作信号を出力するとともに、前記操作子の操作面の背面側に配置された発光体からの光で前記操作面を照光する操作スイッチにおいて、
前記操作子は、
透光性部材からなる有底筒体に形成され、該有底筒体の底部外面を操作面とする操作ボタンと、
該操作ボタンを保持する操作枠体と、
からなり、
前記操作ボタンは、
前記発光体から照射された光が前記操作面に向かうように、有底筒体の内周壁面を開口端側に広げて形成した
操作スイッチ。
【請求項２】
前記操作ボタンは、
前記操作面の周縁部に、該操作面の操作方向に対して高位となる操作面中央部の周辺より低位となる周縁部にかけて傾斜する周縁部傾斜面を備えた
請求項１に記載の操作スイッチ。
【請求項３】
請求項１または２に記載の操作スイッチの複数を連設してなる遊技スイッチ。
【発明の詳細な説明】
【技術分野】
【０００１】
この発明は、例えばスロットマシンに使用されるような押しボタン型の操作スイッチに関し、さらに詳しくは操作面が押し易くなる発光構造を持たせた操作スイッチ及び遊技スイッチに関する。
【背景技術】
【０００２】
一般に、遊技機に利用される操作スイッチの一例として、入力タイミング別に個別に押下させて入力操作させる３個のストップボタンを備えた遊技機のスイッチ装置が知られている(例えば特許文献１参照)。
【０００３】
この種の遊技機のスイッチ装置は、外部に円形操作面を有する押しボタン(ストップボタン)を有し、内部に発光ダイオード（ＬＥＤ）を内蔵し、このＬＥＤの発光によりストップボタンの外面が光るように構成されている。
【０００４】
このストップボタンの内部構造は、ＬＥＤの光を内方から外方へと透過させる操作面としての前面部材と、ＬＥＤの光を前面部材へと拡散させるシート状の光拡散部材(光拡散フィルム)と、前面部材を保持して進退する操作部材と、この操作部材の動きを検知するフォトセンサとが備えられている。このうち、光拡散部材はシート状を有して前面部材の操作面と反対の裏面側に平面的に配設し、この配設された光拡散部材を前面部材と操作部材とで挟み込む構造をとっている。そして、内方から外方へと発光された光は光拡散部材及び前面部材を透過してストップボタンの前面を均一に光らせている。
【０００５】
ところが、前面部材を保持して摺動される操作部材は、その一部を遮光兼用部材に用い、押下操作時に内方のフォトセンサの光軸を遮光させて押下されたことを検知させる機能を持たせている。このため、操作部材が存在する部分は不透明なため光らず、この操作部材が光拡散部材の周囲を保持している対応部分は光らない。よって、ストップボタンの操作面を外方の操作位置から見た場合、該ストップボタンの淵が光らない状態となる。このストップボタンの淵が光らないと、操作面中央部の認識が不明瞭になりやすく、ストップボタンの端位置が押されやすくなり、不安定な押下操作になってしまう。また、これによりストップボタンの寿命を縮める原因になる問題を有していた。
【０００６】
【特許文献１】特開平８−２９８０４２号公報
【発明の開示】
【発明が解決しようとする課題】
【０００７】
そこでこの発明は、操作ボタンを押下するのに適した中央押しを促進できるように操作面中央部の認識を高めることができる特有の発光構造を備える操作スイッチ及び遊技スイッチを提供することを目的とする。
【課題を解決するための手段】
【０００８】
この発明は、押圧操作される操作子の進退動作に基づいて操作信号を出力するとともに、前記操作子の操作面の背面側に配置された発光体からの光で前記操作面を照光する操作スイッチにおいて、前記操作子は、透光性部材からなる有底筒体に形成され、該有底筒体の底部外面を操作面とする操作ボタンと、該操作ボタンを保持する操作枠体とからなり、前記操作ボタンは、前記発光体から照射された光が前記操作面に向かうように、有底筒体の内周壁面を開口端側に広げて形成したことを特徴とする。
【０００９】
前記有底筒体の内周壁面を開口端側に広げるのは、操作ボタンの内周面からの光の屈折方向を操作面周縁部の方向に集光させて誘導する機能を持たせるためである。この場合、内周壁面はなだらかな円弧面であってもよく、あるテーパ角度を有する外周テーパ面であってもよい。そして、操作ボタンの内方から光を発光させた際、その光は操作面中央部を重点的に光らせることに加えて、内周壁面を透過した光が操作面の周縁部に対しても十分に行き渡って光らせることができる。よって、操作ボタンの操作面と、操作ボタンの外周面との外表面全体を光らせることができ、操作者が操作ボタンを視認する該操作ボタンの視認領域の全てを光らせることができる。
【００１０】
この場合、内周壁面は、押下方向に対して傾斜角度が大き過ぎると光の屈折方向が操作面の周縁部に向かわなくなり、小さ過ぎると操作面の周縁部方向への十分な光の屈折が得られなくなるので、内方から発光させた光の向きが、周縁部を的確に光らせることができる傾斜角度に設定する。また、操作ボタンは光を内方から外方へと透光させる空間を確保できる逆凹型状の有底筒体に形成し、外周囲は円形体あるいは四角形状等の矩形体であってもよい。
【００１１】
この発明によると、遊技者は操作ボタンの暗くなりやすい淵までも明確に視認でき、操作ボタンを大きく認識できる。これにより、押下操作すべき位置が視認しやすくなり、遊技者は操作ボタンの中央を押し易くなる。特に、操作ボタンの押下操作が頻繁に繰り返される用途に適用される場合は、端押し等の不具合な押下操作が軽減されるので操作ボタンの耐久性が向上する。
【００１２】
この発明の態様として、前記操作ボタンは、前記操作面の周縁部に、該操作面の操作方向に対して高位となる操作面中央部の周辺より低位となる周縁部にかけて傾斜する周縁部傾斜面を備えて構成することができる。
【００１３】
前記周縁部傾斜面は、前記内周傾斜面から導かれた光をさらに屈折させて操作面の周縁部に透明感などの特有な発光性を持たせて光らせる傾斜面である。この場合も前記内周壁面と同様に、周縁部傾斜面は、なだらかな円弧面であってもよく、あるテーパ角度を有する外周テーパ面であってもよい。この周縁部傾斜面の傾斜角度が、操作面に対して大き過ぎると光の屈折方向が操作面の周縁部に向かわなくなり、小さ過ぎると操作面の周縁部での十分な光量が得られなくなるので、内周傾斜面から導かれた光の向きを、操作面の周縁部に向かわせる傾斜角度に設定する。
【００１４】
そして、前記内周傾斜面と周縁部傾斜面との組み合せによって、操作ボタンの内方から外方に光が透過する場合に、周縁部では光が２段階的に屈折して操作面の周縁部を透過するので、この操作面周縁部では透過光が、操作ボタンの材質内で澄んだ透明感があるように透き通って弱く光る。よって、操作面は発光するだけでなく、操作面中央部が強く均一に光り、周縁部が弱く光って、中央部と、その周囲の周縁部との２種類の異なった発光差を生じさせて光らせることができ、操作面中央部を意識させる発光を実現して、視認性の向上と、操作面中央部を押下操作し易くする操作性の向上とが図れる。この場合、単一の発光源から同一操作面上に発光差を異ならせた２種類の光を効率よく生じさせることができる。
【００１５】
このような操作スイッチの複数を連設してなる遊技スイッチを遊技機に組み込めば、遊技者によって各操作スイッチの操作面中央部を意識させる表示機能付きの遊技スイッチとなり、遊技者が押下操作し易い遊技スイッチとなる。例えば、３個１組に組み込まれて頻繁にスイッチ操作が行われるスロットマシンのストップボタンなどに利用することができる。
【発明の効果】
【００１６】
この発明によれば、操作ボタンの中央部だけでなく、該操作ボタンの操作面周縁部の暗くなりやすい淵も光らせることができる。これにより、遊技者は操作ボタン中央部の意識が視覚的に高まり、操作ボタンの中央を押し易くなるので端押し等の不具合な押下操作が解消される。この結果、操作ボタンの耐久性が向上し、操作スイッチの寿命を延長できる。
【実施例１】
【００１７】
この発明の一実施例を以下図面に基づいて説明する。  
図面はスロットマシンに備えられるストップボタン用の遊技スイッチを示し、図１は遊技スイッチを示す外観斜視図である。この遊技スイッチ１１は、３連リールに対応して押下操作される押しボタン式の３個の同じ操作スイッチ１２，１３，１４を一方向の同一平面上に３個１組に配列して構成される。
【００１８】
図２は遊技スイッチを分解して示す斜視図である。ここで、遊技スイッチ１１に組み込まれる前記３個の操作スイッチ１２，１３，１４は、同じスイッチ構造を有しているため、以下１つの操作スイッチ１２を例にとって説明する。
【００１９】
前記操作スイッチ１２は、操作ボタン１５と拡散シート１６とシート保持筒体１７と操作枠体１８との４部材を積層状態に一体化してなる円形の操作子１９を設け、該操作子１９の下方に復帰バネ２０を介在させて上下方向に押下可能にスイッチケース２１の上面に組み込み、さらにスイッチケース２１の下面に実装基板２２を取り付けた状態でスイッチケース２１の上下面を上カバー２３と下カバー２４で覆って一体化している。
【００２０】
図３は操作子の分解斜視図、図４(Ａ)は操作スイッチの押下待機状態を示す縦断側面図、図４(Ｂ)は操作スイッチの押下状態を示す縦断側面図、図５は操作スイッチの押下待機状態を示す縦断正面図である。
【００２１】
前記操作子１９の最上面に位置して押下操作される操作ボタン１５は、レンズ面を兼ねた円形状を有し、その外周面は操作枠体１８への冠着用として逆凹型状に形成された有底筒体を有している。また、逆凹型状の内部空間を介して内方の発光体２５から発光された光を該操作ボタン１５の上面へと透過させて、該操作ボタン１５の上面を光らせることができる透明の樹脂材で形成している。さらに、操作ボタン１５の外周面の両側には冠着用の小さな嵌合突起２６を突設している。
【００２２】
この操作ボタン１５は、逆凹型状の筒状体であって、この一端が閉鎖されている円形の平面的な上面が押下面１５ａとなる。そして、この押下面１５ａの周縁部に対応する筒状体の内周面に、光屈折用に閉鎖端面側より開放端面側にかけて小径から大径に傾斜する内周テーパ面１５ｂを設けている。この内周テーパ面１５ｂは、操作子１９の内周面からの光の屈折方向を、押下面１５ａの周縁部の方向に集光させる機能を持たせるための傾斜面である。
【００２３】
前記内周テーパ面１５ｂは、操作ボタン１５の内方から外方の押下面１５ａへと光を発光させた際、側壁に向かった光が該内周テーパ面１５ｂで屈折されて押下面１５ａの周縁部へと集光させて光らせることができる。この場合、内周テーパ面１５ｂの傾斜角度は、側壁に向かった光の向きが、押下面１５ａの周縁部を的確に光らせることができる傾斜角度に設定する。例えば、既存の操作ボタン１５ａの場合では、内周テーパ面１５ｂの傾斜角度を押下方向に対し、５〜１０度程度傾斜させるのが適している。
【００２４】
そして、内方の発光体２５から発光した光を外方へと透過させる場合、操作子１９の押下面中央部だけでなく、周縁部も光らせることができるので操作子１９の押下面１５ａと外周面との全外表面が光る。よって、遊技者は操作子１９の暗くなりやすい淵までも明確に視認でき、操作子１９を大きく認識できる。これにより、押下操作すべき押下面１５ａの位置が視認しやすくなり、遊技者は操作子１９の中央を押し易くなる。特に、操作子１９の押下操作が頻繁に繰り返される用途に適用される場合は、端押し等の不具合な押下操作が軽減されるので操作子１９の耐久性が向上する。
【００２５】
さらに、前記押下面１５ａの周縁部には、高位となる押下面中央部の周辺より低位となる周縁部にかけて傾斜する周縁部傾斜面１５ｃを設けている。この周縁部傾斜面１５ｃは、内方の内周テーパ面１５ｂから導かれた光をさらに押下面上の周縁部で再び屈折させて、押下面１５ａの周縁部を明瞭に光らせる役目を持たせた傾斜面である。
【００２６】
この周縁部傾斜面１５ｃは、傾斜角度が押下面に対して大き過ぎると光の屈折方向が押下面１５ａの周縁部に向かわなくなり、小さ過ぎると押下面１５ａの周縁部での十分な光量が得られなくなるので、内周テーパ面１５ｃから導かれた光の向きを、押下面１５ａの周縁部に向かわせる傾斜角度に設定する。例えば、既存の操作ボタンの場合では、周縁部傾斜面１５ｃの傾斜角度を押下面１５ａに対し、１５度程度傾斜させるのが適している。
【００２７】
そして、前記内周テーパ面１５ｂと周縁部傾斜面１５ｃとの組み合せによって、操作子１９の内方から外方に光が透過する場合に、周縁部では光が２箇所の屈折部分により２段階的に屈折して押下面１５ａの周縁部を透過するので、この押下面１５ａの周縁部では、透過光が操作ボタン１５の材質内で澄んだ透明感があるように弱く光る。よって、押下面１５ａは発光するだけでなく、押下面１５ａの中央部が強く均一に光り、押下面１５ａの周縁部が弱く光って、中央部と、その周囲の周縁部とで光る度合いを異ならせ、押下面１５ａの中央部を意識させる２種類の発光領域を実現して、視認性の向上と、押下面中央部を押下操作し易くする操作性の向上とが図れる。
【００２８】
なお、操作ボタン１５の外周面には、軸方向上側より下側を大径にして、外径寸法を異ならせた抜け止め用の外周面段差部１５ｄを有しており、この外周面段差部１５ｄが上面カバー２３の内周縁部２３ｃに抜け止め係止されている。
【００２９】
前記拡散シート１６は、前記操作ボタン１５の内周寸法より僅かに小さい寸法の円形シートに形成している。そして、この拡散シート１６が操作ボタン１５の押下面１５ａ側とは反対側となる裏面側に平面的に配設され、この配設された拡散シート１６を上側の操作ボタン１５と下側の後述するシート保持筒体１７とで挟み込む構造をとっている。また、下方からの発光体２５の光を拡散して均一に光らせることができる乳白色半透明の素材や拡散材を印刷した透明の素材などで形成されている。また、この拡散シート１６の表面または裏面に、文字や図柄を印刷して、発光時に所望の情報を表示させてもよい。
【００３０】
前記シート保持筒体１７は、内方からの光を遮らない透明の樹脂材で形成され、前記操作ボタン１５の内周寸法より僅かに小さい外径寸法を有する筒体に形成している。そして、シート保持筒体１７の上端面環状部が前記拡散シート１６の周縁部と対応し、下端面環状部が後述する操作枠体１８と対応して両端面が保持されている。従って、このシート保持筒体１７と操作ボタン１５との間に、前記拡散シート１６が挟み込まれた状態に保持されている。また、該シート保持筒体１７の外周面は、前記内周テーパ面１５ｂのテーパ角度に対応する外周テーパ面１７ａとし、外周面両側に操作ボタン１５の下端を受け止めて支持する受止突起１７ｂを突設している。
【００３１】
前記操作枠体１８は透明な樹脂材で形成され、平面視が前記操作ボタン１５と相似する外形状を有し、その内周寸法より僅かに小さい外径寸法の円形状を有している。この操作枠体１８の上面は開放され、内周面は上方への光の反射に適した逆円錐形状の反射面２７を有しており、この反射面２７で囲まれる逆円錐形状の内方空間部２８を介して、その上方の操作ボタン１５に光を照射させる。
【００３２】
さらに、内方空間部２８としての反射面２７の表面に対しては、光の拡散効果を高めることができる細かな凹凸模様のシボ加工を施している。このシボ加工を施すことにより、反射面２７からの光の拡散効果が向上し、操作ボタン１５での安定した発光が得られる。
【００３３】
さらに、操作枠体１８は、図５にも示すように、スイッチケース２１に摺動支持される摺動筒体２９を下端に有し、この摺動筒体２９の両側に操作子抜止用の抜止片３０を有している。該抜止片３０は下端の係止爪３１がスイッチケース２１の下端係止部２１ａに係止されて抜け止めされる。
【００３４】
また、摺動筒体２９の外周面の一部に遮光片３２を突設している。この遮光片３２は操作子１９が押下操作されたことを検知させるための部材であり、該操作子１９の押下操作に連動して遮光片３２が下動したとき、該遮光片３２が実装基板２２に搭載されている検知センサＳのスリット部間の光路を遮光することで検知させる。従って、この遮光片３２は光を遮光できる不透明な樹脂材で構成している。
【００３５】
また、操作枠体１８の上面には、前記操作ボタン１５の嵌合突起２６と対応する両側の位置に嵌合孔３３ａを開口した嵌合枠体３３を起立しており、操作枠体１８の上面に操作ボタン１５を冠着させるときに、該嵌合枠体３３の嵌合孔３３ａ内に操作ボタン１５の嵌合突起２６を嵌合させて固定する。このとき、シート保持筒体１７の下面環状段部１７ｃが操作枠体１８の上面環状段部３４に係合して操作枠体１８の同心円上にシート保持筒体１７が組み付けられる。よって、拡散シート１６及び操作ボタン１５も操作枠体１８の同心円上に組み付けられる。このように操作子１９は、操作ボタン１５と拡散シート１６とシート保持筒体１７と操作枠体１８とを一体化して構成される。
【００３６】
ところで、前記操作枠体１８に一体に保持される操作ボタン１５の保持構造は、操作ボタン１５の外周面側から操作枠体１８が覆って保持するので、操作枠体１８の嵌合枠体３３は、操作ボタン１５の内周面より外側に位置することになる。このため、操作枠体１８は光が内方から外方へと透過する際の光路障害にならず、該操作枠体１８が不透明材であっても、操作ボタン１５の内方から側壁方向へと至った光を確実に押下面１５ａの周縁部へと導いて光らせることができる。
【００３７】
また、押下面１５ａへの光の拡散効果を高めるために、操作ボタン１５の内面側に拡散シート１６を組み込ませる構成でもよく、操作ボタン１５の内面をシボ加工してもよい。
【００３８】
また、操作枠体１８の上部外周面に復帰バネ２０の上バネ座３５を形成し、前記スイッチケース２１の下端係止部２１ａの上面を下バネ座３６に設けて、これら上下のバネ座３５，３６間にコイル状の復帰バネ２０を圧縮状態に介在させている。そして、この復帰バネ２０が伸張しようとする付勢力に抗して操作子１９は押下操作され、押下開放後は該復帰バネ２０の復帰力によって操作子１９は押し戻されて元の押下待機位置へと復帰される。前記復帰バネ２０は操作枠体１８の外周を巻くようにコイル状に設けられ、また両端部の外径より中間部の外径を若干小さくした鼓形状に設けている。この鼓形状に設けることにより、操作子１９を押下した時のバネ自体の共振が緩和され、遊技者に不快感や疲労感を与えない構成を有している。
【００３９】
前記スイッチケース２１は、黒色等の不透明な樹脂材で横長の楕円形状を有し、上面に、前記操作子１９の上面を露出させた状態に収納して取り付けるために開口した３個の円形開口部３７を等間隔に有し、この円形開口部３７の内方が操作子１９を収納するボタン収納空間となる。そして、このボタン収納空間に操作子１９が嵌め込まれて取り付けられる。この操作子１９の取り付けに際しては、該操作子１９の下部の摺動筒体２９が、スイッチケース２１の円形開口部３７のボタン収納空間に形成された筒状の摺動支持部３８(図２参照)に摺動支持されて取り付けられる。このため、操作子１９は押下方向に安定して摺動される。仮に、操作子１９が端押しされても、摺動筒体２９の外周面やスイッチケース２１の内周面の部分で端押しの傾きが抑えられる。
【００４０】
前記スイッチケース２１の円形開口部３７の底面中央に対応する位置には、後述する発光体２５が対応されて配設される。さらに、円形開口部３７の上部内周面には水平な環状の押下規制面３７ａを設けている。この押下規制面３７ａは、操作子１９が押下されたときに、該操作子１９と一体の操作枠体１８の下面外周に形成された水平な係止下面１８ａが該押下規制面３７ａの上面に当接して、該操作子１９の押下限界位置で押下規制する役目を有している。
【００４１】
前記実装基板２２は長尺の平板状を有し、その上面の平面的な搭載面２２ａにフォトセンサで構成される検知センサＳと、２個１組に搭載された発光体(ＬＥＤ)２５(２５ａ，２５ｂ)と、コネクタ３９などの部品が搭載されている。そして、この実装基板２２がスイッチケース２１と下カバー２４との間に介在された状態で一体に組み込まれる。
【００４２】
前記上カバー２３は、スイッチケース２１の上面を覆う横長の平面的な形状を有し、その長手方向に前記スイッチケース２１の各円形開口部３７と対応する円形の３個のボタン挿通孔２３ａを等間隔に開口し、ここに前記操作子１９をそれぞれ押下操作可能に挿通させた状態に該スイッチケース２１の上面に取り付けられる。
【００４３】
前記下カバー２４は、スイッチケース２１と略同じ外形状を有する横長の楕円形状を有し、この外周囲に段付き形成された周縁係合部２４ａをスイッチケース２１側で対応する周縁係合部２１ｂに係合させて、スイッチケース２１の下面を覆った状態に取り付けられる。また、下方から下カバー２４の下ビス穴２４ｂとスイッチケース２１のビス挿通孔２１ｃと上カバー２３の上ビス穴２３ｂにビス４０を通して上カバー２３側で螺着することにより、これらを一体化している(図５参照)。
【００４４】
前記検知センサＳは、凹形のスリット部間の光路を遮光片３２が遮光したか否かを検知する透過型の光センサで構成しており、操作子１９が押下された際に、遮光片３２の一端部がスリット部間に入り、検知光が遮光されたことを検出することによって操作子１９が押下(オン操作)されたこと、あるいは押下が開放(オフ操作)されたことを検知する。なお、検知センサＳは透過型の光センサに限らず、反射型の光センサや接点型スイッチなどで構成してもよい。また、発光体２５はＬＥＤで構成されるものに限らず、他の発光体で構成してもよい。さらに、実装基板２２に搭載されているコネクタ３９を介して操作スイッチ１２と遊技機の制御部との間を電気的に接続している。
【００４５】
このように構成された操作スイッチ１２は、通常、図４(Ａ)及び図５に示すように、操作子１９が上面に少し突出して押下可能な押下待機状態にある。この押下待機状態では、２個１組に並列配設されている発光体２５（２５ａ，２５ｂ）のうち、待機表示色を表す例えば青色発光する一方の発光体２５ａが発光している。
【００４６】
この押下待機状態から、操作者が操作子１９を押下操作すると、操作子１９は操作者による押下力を受けて軽く沈み込み、図４(Ｂ)に示すように、操作子１９の係止下面１８ａがスイッチケース２１の押下規制面３７ａに当接するまで押下操作される。この操作子１９が一定量押下されると、遮光片３２が検知センサＳのスリット部を遮光して押下されたことを検知する。この検知信号に基づいて一方の発光体２５ａは消灯し、他方の発光体２５ｂが例えば赤色発光する。
【００４７】
ところで、操作スイッチ１２の内部の発光体２５ａから発光した光を外方の押下面１５ａへと透過させる場合、操作ボタン１５の押下面中央部を強く光らせるだけでなく、側壁に向かった光が図４(Ａ)に矢印で示すように、シート保持筒体１７を透過した後、操作ボタン１５の内周テーパ面１５ｂを透過する。このとき、内周テーパ面１５ｂから透過した光は、その内周テーパ面１５ｂの傾きによって光の屈折する方向が押下面１５ａの方向へ集光され、さらにその押下面１５ａと対応する方向に傾斜形成されている周縁部傾斜面１５ｃへと至り、ここで引続き光は屈折して周縁部傾斜面１５ｃを透過する。この場合に、光が押下面１５ｃの方向へと導かれることで、操作ボタン１５の周縁部を、内周テーパ面１５ｂと周縁部傾斜面１５ｃとの両傾斜面で２段階的に屈折させて光らせることができる。
【００４８】
このように、押下面１５ａの周縁部では光が２段階的に屈折して押下面１５ａの周縁部を光らせるので、この押下面周縁部では透過光が、操作ボタン１５の材質内で澄んだ透明感があるように透き通って弱く光る。よって、押下面１５ａは発光するだけでなく、押下面中央部が強く均一に光り、その周縁部が弱く光って、中央部と、その周囲の周縁部との２種類の異なった発光差を付けて光らせ、押下面中央部を意識させる発光を実現して、視認性の向上と、押下面中央部を押下操作し易くする操作性の向上とが図れる。またこの場合、単一の発光体２５ａでありながら同じ押下面上に発光差が異なる２種類の光を効率よく生じさせることができる。
【００４９】
その後、操作子１９の押下力が開放されると、該操作子１９は復帰バネ２０の弾性復帰力を受けて、復帰バネ２０と共に、図４(Ａ)に示す元の押下待機状態に復帰する。このとき、操作子１９は係止爪３１が下端係止部２１ａに係止されて抜け止めされるので、初期の押下待機位置に位置決めされる。また、遮光片３２も復帰バネ２０の付勢力を受けて上動復帰するので、初期の押下待機位置に戻る。この遮光片３２が上動復帰する時に、検知センサＳは再び検知光を検知して操作子１９が復帰動作したことを確認し、この検知信号に基づいて他方の発光体２５ａを消灯させ、一方の発光体２５ｂを発光させる。
【００５０】
上述のように、操作ボタンが押下操作される上面は、その周縁部も光るので透明カバーの押下面と外周面との全外表面が光る。よって、遊技者は操作ボタンの暗くなりやすい淵までも明確に視認でき、操作ボタンを大きく認識できる。これにより、押下操作すべき位置が視認しやすくなり、遊技者は操作ボタンの中央を押し易くなる。特に、操作ボタンの押下操作が頻繁に繰り返されるスロットマシンのストップボタンのような用途に適用される場合は、端押し等の不具合な押下操作が軽減されるので操作ボタンの耐久性が向上し、スイッチを寿命延長できる。
【００５１】
この発明の構成と、上述の実施例の構成との対応において、
この発明の操作面は、実施例の押下面１５ａに対応し、
以下同様に、
内周壁面は、内周テーパ面１５ｂに対応するも、
この発明は、上述の実施例の構成のみに限定されるものではなく、請求項に示される技術思想に基づいて多くの実施の形態を得ることができる。例えば、上述の実施例では３個の操作スイッチ１２，１３，１４を組合せた遊技スイッチ１１を示したが、さらに多くの操作スイッチを組合せてもよく、また１つの操作スイッチ１２だけの独立したスイッチとして構成することもできる。
【図面の簡単な説明】
【００５２】
【図１】遊技スイッチの外観斜視図。
【図２】遊技スイッチの分解斜視図。
【図３】操作子の分解斜視図。
【図４】遊技スイッチの押下待機状態と押下状態を示す縦断側面図。
【図５】遊技スイッチの押下待機状態を示す縦断正面図。
【符号の説明】
【００５３】
１１…遊技スイッチ
１２，１３，１４…操作スイッチ
１５…操作ボタン
１５ａ…押下面
１５ｂ…内周テーパ面
１５ｃ…周縁部傾斜面
１８…操作枠体
１９…操作子
２５，２５ａ，２５ｂ…発光体
【図１】
2008264047.tif 000003
【図２】
2008264047.tif 000004
【図３】
2008264047.tif 000005
【図４】
2008264047.tif 000006
【図５】
2008264047.tif 000007